(57)【要約】      （修正有）【課題】中空の短冊状に成形する庇パネル及び取付部材の構成に、大きな変更を加えることなく、先端上りの庇体を組み立て、その庇体上の雨水を、庇体の基端側に設けた横樋に集めて排出させるようにする建物用庇を提供する。【解決手段】取付部材Ａの横板部１１に、庇体を構成するよう幅方向に並列させて取り付ける中空の短冊状の庇パネルＤには、上面側に、該庇パネルＤの上壁面よりも下方に陥入する水路溝Ｕを、庇パネルＤの長手方向に連続させて形設し、この庇パネルＤを、先端上りの角度勾配を具備せしめた姿勢とし、かつ、庇パネルＤの基端側の端面と取付部材Ａの縦板部１０の前面との間に、左右方向に連続する空間Ｙを形成するよう前方に偏位せしめて取付部材Ａの横板部１１に取り付ける。【選択図】図５
0003156853.tif 000002
【実用新案登録請求の範囲】
【請求項１】
建物躯体（Ｂ）の外壁面に取り付けた取付部材（Ａ）の横板部（１１）に、アルミ材等の金属材により短冊状の中空体に成形せる庇パネル（Ｄ）の基端側を、巾方向に並列させて取り付けて建物外面に張り出す庇に組み立て装設する建物用庇であって、取付部材（Ａ）の横板部（１１）に、庇体（Ｆ）を構成するよう幅方向に並列させて取り付ける中空の短冊状の庇パネル（Ｄ）には、上面側に、該庇パネル（Ｄ）の上壁面よりも下方に陥入する水路溝（Ｕ）を、庇パネル（Ｄ）の長手方向に連続させて形設し、この庇パネル（Ｄ）を、先端上りの角度勾配を具備せしめた姿勢とし、かつ、庇パネル（Ｄ）の基端側の端面と取付部材（Ａ）の縦板部（１０）の前面との間に、左右方向に連続する空間（Ｙ）を形成するよう前方に偏位せしめて取付部材（Ａ）の横板部（１１）に取り付け、庇体（Ｆ）上の雨水を水路溝（Ｕ）により基端側に導き庇パネル（Ｄ）の後端面後方の空間（Ｙ）を経て庇体（Ｆ）の外部に流出させるようにしたことを特徴とする先端上りの建物用庇。
【請求項２】
庇パネル（Ｄ）の基端側の端面と取付部材（Ａ）の縦方向の縦板部（１０）の前面との間に形成せる空間（Ｙ）に、別に形成した内樋（Ｚ）を装備せしめることを特徴とする請求項１記載の先端上りの建物用庇。
【請求項３】
庇パネル（Ｄ）の基端側を取り付ける取付部材（Ａ）の下面側に、その取付部材（Ａ）に取り付けた庇パネル（Ｄ）の後端面後方に形成せる空間の下方を囲う下部カバー（Ｌ）を、装脱自在に取り付けることを特徴とする請求項１記載の先端上りの建物用庇。
【請求項４】
取付部材（Ａ）の背面側に、その取付部材の横板部（１１）に基端側を取り付ける庇パネル（Ｄ）が先端上りの姿勢となるよう取付部材（Ａ）を傾斜状態に支持せしめる角度変更部材（Ｍ）を、取付座板状に形成して一体的に組み付け、取付部材（Ａ）をこの角度変更部材（Ｍ）ごと建物の外壁面に取り付けて、庇パネル（Ｄ）に先端上りの勾配を具備せしめることを特徴とする請求項１記載の先端上りの建物用庇。
【考案の詳細な説明】
【技術分野】
【０００１】
本考案は、建物躯体の外壁面に取付部材をボルトにより取り付け、その取付部材に、アルミ材等の軽金属材で中空の短冊状に押出成形して形成した庇パネルを、巾方向に並列させて取り付けることで庇体に組み立て、建物の外面に張り出すように装設する形態の建物用庇に関する。
【０００２】
さらに具体的にいえば、建物躯体に取り付けた取付部材に対して巾方向に並列させて取り付ける庇パネルを、先端に向け上向きの勾配の状態姿勢に取り付けて構成する先端上りの建物用庇に関する。
【背景技術】
【０００３】
建物躯体の外壁面に、取付部材をアンカーボルト等のボルトにより取り付け、この取付部材に、アルミ材等の軽金属で中空の短冊状の筒状体に押し出し成形して形成した庇パネルを、巾方向に並列させ取り付けることで、建物の外面から突出する庇体に組み立てて構成する建物用庇は、通常、先端に向けて下降する勾配をもつ先端下りの庇に構築されている。
【０００４】
図面について具体的にいえば、図１にあるように、背面側を建物躯体Ｂの外壁面ｂに沿う垂直な板面に形成した縦板部１０と、上面側を２度程度の数度の勾配で先端下りとした棚板状の横板部１１とで、側面視で略Ｌ字形をなす断面形状をもって左右方向に連続する形態の取付部材Ａを形成しておいて、これを建物躯体Ｂの外壁面ｂにアンカーボルト等のボルトＣの打ち込みにより取り付け、この取付部材Ａの水平な棚板状の横板部１１の上面に、図２にあるように、アルミ材等の金属材で中空の短冊状に成形した庇パネルＤの基端側を載架し、その基端側に挿通した取付ボルトＥの頭部２０を、横板部１１の下面側に形設しておくレール状の嵌合部１３に嵌挿し、取付ボルトＥの先端側にナット２１を螺合して仮締めすることで、庇パネルＤの基端部が横板部１１の上面の取付座面１２に沿い左右に自在にスライドするように、横板部１１に庇パネルＤを仮止めし、この作業を重ねることで、多数の庇パネルＤを、巾方向に並列させて横板部１１にスライド自在に仮止めする。次いで、並列させた庇パネルＤを、隣接する庇パネル同志が密接するように寄せ付けて、各庇パネルＤの左右の両側縁部に左右に振り分けて設けておいた雄型の係合部と雌型の係合部とを、一方の庇パネルＤの雄型の係合部が他方の庇パネルＤの雌型の係合部とが嵌り合って係合するように結合させ、同時に、この係合して結合した状態としたところで、仮締めしておいた取付ボルトＥのナット２１を締結することで、取付部材Ａの横板部１１に並列載架した多数の庇パネルＤを一体的に連結・結合した状態として取付部材Ａに組み付け支架せしめて、庇体Ｆに組み立てて、建物用庇を構成するようにし、取付部材Ａの上面側には、露出してくるアンカーボルトＣの頭部と取付ボルトＥの締結ナット２１を覆い隠す化粧カバーＫを設けて化粧するようにしているものである。
【０００５】
そして、このように建物の外面に取り付ける建物用庇は、取付部材Ａの横板部１１の上面に組み付けられる庇パネルＤが、その横板部１１の上面の取付座面１２の先端下りの勾配に規制されて、取り付けられることで、先端下りの庇として構成され、その庇体の先端側には、降雨に際し、庇体Ｆの上面に降下してくる雨水を集めて導くための雨樋Ｇが、組み付けられるようになる。
【０００６】
建物用庇には、庇パネルを並列させて組み立てる庇体Ｆを先端に向け昇り勾配の姿勢とした先端上りの庇が望まれる場合がある。庇体Ｆを先端上りの姿勢として取付部材Ａに組み付けるだけであれば、取付部材Ａの横板部１１を、それの庇パネルＤの基端部を当接して組み付ける取付座面が、先端に向け昇り勾配となるように、取付部材Ａに設けておくことで達成し得る。
【０００７】
しかし、取付部材Ａの横板部１１を先端に向け上向き勾配に設けて、庇パネルＤを上向き勾配に取り付け、庇体Ｆを先端上りに構成すると、降雨に際し、庇体Ｆの上面に降下して、その上面の基端側に流れる雨水が、化粧カバーＫの前面に堰き止められて、庇体Ｆの上面の基端側に停滞し、それが庇体Ｆの左右の側縁から溢れ出すようになることで、庇体Ｆ上面の雨水の排出処理を厄介なものとする問題がでてくる。
【０００８】
庇体Ｆの上面の基端側に停滞して溜まるようになる雨水を、庇体Ｆの側縁から溢れ出るようになるのを抑止するには、庇体Ｆの基端側に流れてくる雨水を受け入れて左右に流す雨樋を設ければ良いわけであるが、その雨樋は、化粧カバーＫの前面側で、庇体Ｆの上面よりも下位に配設しなければならず、そのように雨樋を設けるには、庇体Ｆを組み立てる庇パネルＤの形状・構造を変更する改造が必要となる厄介な問題が生じてくる。
【先行技術文献】
【特許文献】
【０００９】
【特許文献１】特開２００９−０９７３２６号公報
【考案の概要】
【考案が解決しようとする課題】
【００１０】
本考案において解決しようとする課題は、中空の短冊状に成形する庇パネルＤ及び取付部材Ａの構成に、大きな変更を加えることなく、取付部材Ａの横板部１１に、庇パネルＤを先端に向け上向き勾配の姿勢で巾方向に並列させて取り付けることで、先端上りの庇体Ｆを組み立て、その庇体Ｆ上の雨水を、庇体Ｆの基端側に設けた横樋に集めて排出させるようにする手段を構成することにある。
【課題を解決するための手段】
【００１１】
本考案は、上述の課題を解決するための手段として、建物の外壁面にアンカーボルトで取り付けた取付部材に、中空の短冊状に成形した庇パネルを巾方向に並列させて取り付けることで建物外面に張り出す庇体に組み立てる建物用庇において、建物の外壁面に取り付けた取付部材Ａに、並列させて取り付ける中空の短冊状の庇パネルＤは、取付部材Ａの横板部１１に、先端上りの角度勾配を具備せしめた状態姿勢として取り付けるが、その庇パネルＤは、図３にあるように、上面側に、該庇パネルＤの上壁面よりも下方に陥入する水路溝Ｕを該庇パネルＤの長手方向に連続させて形設しておき、かつ、その庇パネルＤを、取付部材の横板部に取り付けるときに、庇パネルＤの基端側の端面（後端面）と取付部材Ａの縦板部１０の前面との間に左右方向に連続する空間Ｙを形成するよう、縦板部１０の前面に対し前方に偏位させて横板部１１に取り付けて先端上りの庇体Ｆを組み立て、これにより、庇体Ｆ上の雨水を、庇パネルＤの上面の水路溝Ｕにより基端側に流し、庇パネルＤの後端面と縦板部１０との間に形成した空間Ｙに集め、その空間Ｙを内樋として左右に導き外部に流出させる先端上りの建物用庇を構成する手段を提起するものである。
【考案の効果】
【００１２】
本考案手段によれば、先端上りの建物用庇が、建物躯体の外壁面に取り付けた取付部材に、中空の短冊状に成形した庇パネルを並列させて、取り付けることで構成する通常の建物用庇の形態を変更させることなく、庇体上の雨水を基端側の左右の端部に導けるように構成できるようになる。
【００１３】
また、庇パネルの後端面の後方に形成する空間に、別に形成しておく内樋を装置せしめるときは、空間に流れ込んでくる雨水を内樋に集めて、効率的に排出させるようになる。
【００１４】
また、下部カバーを装脱自在に組み付けておくときは、庇パネルの後端面後方に形成する空間を利用して構成する内樋の点検・清掃を容易にする。
【００１５】
また、取付部材に、角度変更部材を組み合わせて用いるときは、先端下りの建物用庇を構成する通常の取付部材をそのまま転用して、先端上りの建物用庇を構成し得るようになる。
【図面の簡単な説明】
【００１６】
【図１】従前の建物用庇の、建物躯体の外壁面に取り付けた状態における縦断側面図である。
【図２】同上建物用庇の、建物躯体の外壁面に取り付ける取付作業の途中における斜視図である。
【図３】本考案を実施せる先端上りの建物用庇の、建物躯体の外壁面に取り付けた状態における縦断側面図である。
【図４】同上建物用庇の庇パネルの縦断した正面図である。
【図５】同上建物用庇の別の実施例の、建物躯体の外壁面に取り付けた状態における縦断側面図である。
【図６】同上実施例の建物用庇の、取付部材及び角度変更部材及び化粧カバーならびに下部カバーの分解した状態における縦断側面図である。
【図７】同上実施例の建物用庇の、庇パネル及び中間連結材の縦断した正面図である。
【図８】同上の庇パネルを、中間連結材を介して連結して組み立てた庇体の縦断した正面図である。
【図９】同上の、取付部材と内樋と下部カバーとを分解した状態の斜視図である。
【図１０】同上の、取付部材と内樋と下部カバーとを組み付けた状態の斜視図である。
【考案を実施するための形態】
【００１７】
次に、本考案の実施の態様を図面につき実施例について詳述する。
【実施例１】
【００１８】
図３は、本考案手段を実施せる先端上りの建物用庇の、建物外面に取り付け施工した状態における縦断した側面図であり、図において、Ａは取付部材、１０は取付部材Ａの縦板部、１１は取付部材Ａの横板部、Ｂは建物躯体、ｂはその建物Ｂの外壁面、Ｃは取付部材Ａを建物躯体Ｂの外壁面ｂに取り付けているアンカーボルト、Ｄはアルミ材等で中空の短冊状に成形した庇パネル、Ｅは庇パネルＤを取付部材Ａの横板部１１に取り付けている取付ボルト、Ｋは取付部材Ａの上方に組み付けた化粧カバー、Ｐは庇パネルＤを並列させて取付部材Ａに取り付けることで組み立てられる庇体Ｆの先端側に組み付けた化粧枠を示す。
【００１９】
取付部材Ａは、建物躯体Ｂの外壁面ｂに背面側を当接させてアンカーボルトＣにより固着する縦板部１０と、庇パネルＤの基端側を支承せしめて取付ボルトＥの締結により庇パネルＤを取り付ける棚板状の横板部１１とで、側面視において略Ｌ字形をなすように形成されている通常の形態のものであるが、それの横板部１１は、水平面に対し２度程度の昇り勾配の角度をもって垂直方向の縦板部１０から前方に突出するように設けてある。
【００２０】
この取付部材Ａに取り付ける庇パネルＤは、アルミ材等の金属材の押出成形により、中空の短冊状のパネルに形成した通常のものであるが、それの天井壁には、押出成形の際の成形により、図４に示すように、前面視においてＶ字状に陥没して長手方向に連続する水路溝Ｕが形設してある。
【００２１】
そして、この庇パネルＤは、それの基端側の端面となる後端面３０が、取付部材Ａの縦板部１０の前面から、４０ミリ程度の距離をおいた位置を占めるように、前方に偏位させて取付部材Ａの横板部１１に載架して、取付ボルトＥにより取り付けてあり、これにより、該庇パネルＤと縦板部１０との間に、縦板部１０の前面に沿い左右に連続する空間Ｙを形成するようにしている。この空間Ｙは、取付部材Ａの縦板部１０及び横板部１１を利用することで、水路溝Ｕにより庇パネルＤの基端側に導かれてくる雨水を集めて左右に導く内樋として機能するようになる。
【００２２】
この実施例では、庇体Ｆ上の雨水が、庇体Ｆの先端上りの勾配により基端側に流動してきて、化粧カバーＫの前面位置まできたとき、水路溝Ｕにより化粧カバーＫの前端部の下方を流過するようになるから、その雨水は、庇パネルＤの後端まで流動するようになる。そして、庇パネルＤの後端から、後端面３０の後方に形成してある空間Ｙ内に流下し、この空間Ｙを内樋として左右に導かれて庇体Ｆの外部に排出される。この排出は、庇体Ｆの基端側の左右の側端部または、取付部材Ａの横板部１１の左右の端部に接続しておく縦樋Ｔにより行われる。
【実施例２】
【００２３】
図５乃至図１０は別の実施例を示す。この実施例は、取付部材Ａの横板部１１に、庇パネルＤを支架せしめ、横板部１１の下面側に庇パネルＤを吊り下げ状態に取り付けるようにしている例であり、かつ、庇パネルＤを先端に向け上向きの勾配を保持せしめた状態姿勢として取付部材Ａに取り付け支持せしめるのに、庇パネルＤを先端に向け下向き勾配に取り付けて先端下りの建物用庇を構成するための取付部材を用い、その取付部材に角度変更部材Ｍを組み合わせることで、上向き勾配に庇パネルＤを取り付けるようにしている例である。
【００２４】
図５は、建物用庇を、建物躯体Ｂの外壁面ｂに取り付け施工した状態の縦断側面図であり、同図において、Ａは、縦板部１０と横板部１１とからなる取付部材、Ｍは、取付部材Ａの背面側に組み付けた角度変更部材、Ｂは建物躯体、ｂは建物躯体Ｂの外壁面、Ｃは取付部材Ａを角度変更部材Ｍと共に建物躯体Ｂの外壁面ｂに取り付けているアンカーボルト、Ｄは庇パネル、Ｅは庇パネルＤを取付部材Ａの横板部１１に取り付けている取付ボルト、Ｕは庇パネルＤの上面側に形設した水路溝、Ｙは庇パネルＤの後端面３０と取付部材Ａの縦板部１０の前面との間に形成した空間、Ｚはその空間Ｙ内に装置した内樋、Ｔは内樋Ｚの底面に設けた排水口に接続させた縦樋、Ｋは取付部材Ａの上面側に装着した化粧カバー、Ｌは取付部材Ａの下面側に装着した下部カバー、Ｐは組み立てた庇体Ｆの先端部に組み付けた化粧枠、Ｈは庇パネルＤを並列させて組み立てられる庇体Ｆの先端側の上面と建物躯体Ｂの外壁面ｂとの間に渡架装設する吊りハンガーを示す。
【００２５】
取付部材Ａは、建物躯体Ｂの外壁面ｂに取り付けるための縦板部１０と庇パネルＤを取り付けるための横板部１１とを具備する通常の構成のものであるが、庇パネルＤを吊り下げ状態に取り付け支架せしめるために、横板部１１を縦板部１０の上下の中間位置から棚板状に突出するように設けて、図６にあるよう、側面視において略Ｔ字状をなす形状に形成してある。
【００２６】
この取付部材Ａの横板部１１には、それの下面側に庇パネルＤを当接させる取付座面１２が形成してあり、その取付座面１２の先端側に寄る部位には、庇パネルＤを取り付ける取付ボルトＥの頭部２０を嵌合せしめて形着させるための嵌合部１３が形設してある。
【００２７】
そして、この横板部１１は、それの下面の取付座面１２が、縦板部１０の背面に沿う垂直線に対し、先端下りの勾配角度で、縦板部１０から棚板状に突出するように形設してあり、これにより取付部材Ａを、庇パネルＤを並列させて取り付けて組み立てる庇体Ｆが先端下りの庇となるように構成している。
【００２８】
角度変更部材Ｍは、上述したように、庇パネルＤを並列させて取り付けることで組み立てる庇体Ｆが先端下りの勾配を保持した状態姿勢とするように、横板部１１の角度勾配を設定して形成してある取付部材Ａを、それの横板部１１の角度勾配が、先端上りの角度勾配となるように変更させる部材である。
【００２９】
この角度変更部材Ｍは、図６において右端側に示しているように、上下の巾寸法を取付部材Ａの縦板部１０の上下の巾寸法に対応させた縦板部４と、その縦板部４の上端部に、下向きの嵌合凹部状に形設した係止部４０と、縦板部４の下端部位に前方に向け短く突出するよう形設した横板部４１と、その横板部４１の前端の上面側に、短く上向きに突出する係止突起４２とからなり、縦板部４の上端に設けた係止部４０を、取付部材Ａの縦板部１０の頂部に対し、上方から嵌め込むように係止し、縦板部４の下端側に設けた短い横板部４１の前端の係止突起４２を、取付部材Ａの下端側に設けた取付台１４の後面側に形成している係止溝１５に嵌合させることで、図５に示しているように、取付部材Ａに対し、それの縦板部１０の背面側に、角度変更部材Ｍの縦板部４が並列・重合した状態姿勢となって一体的に結合して組み付けられ、取付部材Ａを建物躯体Ｂの外壁面ｂに当接せしめて取り付けるときに、この角度変更部材Ｍの縦板部４が、取付部材Ａの縦板部１０に換わって建物躯体Ｂの外壁面ｂに当接し、アンカーボルトＣによる取り付けで、取付部材Ａの取り付けが、この角度変更部材Ｍを介して行われるようになる。
【００３０】
この角度変更部材Ｍは、取付部材Ａの縦板部１０の背面側に一体的に組み付けられたとき、該角度変更部材Ｍの縦板部４の下端部位に設けた係止突起４２が、横板部４１により縦板部４の上端の係止部４０よりも前方に偏位していることで、組み付けた取付部材Ａを、それの縦板部１０が、係止突起４２の前方偏位分だけ、後方に向け傾斜した状態姿勢に支持するようになる。そして、この傾斜した姿勢の縦板部１０から突出する横板部１１は、建物躯体Ｂの外壁面ｂに当接する角度変更部材Ｍの背面を基準として、上向き勾配となる角度αで縦板部１０から突出する状態に変更される。
【００３１】
この実施例では、角度変更部材Ｍの縦板部４と、これに組み付けた取付部材Ａの縦板部１０との間に、４度の傾斜角度αが形成されるように、係止突起４２の前方偏位置を設定してあり、これにより、２度の下向き勾配に設定してある取付部材Ａの横板部１１を、４度上向きに回動させるよう上方に振らせることで、２度の上向き勾配に変更させた状態としている。
【００３２】
そして、これにより、建物躯体Ｂの外壁面ｂに取り付けた取付部材Ａの横板部１１に、庇パネルＤを並列させて取り付けることで組み立てられる庇体Ｆが、先端上りの庇体となるようにしている。
【００３３】
庇パネルＤは、この例では、図７に示しているように、上面側を台形状に成形した角筒体５が、三連に並列して連結した形態のパネルに形成してあり、角筒体５と角筒体５との連結部位に形成される正面視においてＶ字状の凹部により水路溝Ｕを形成している。
【００３４】
また、この庇パネルＤは、左右の両側端部に、雄型の嵌合突部ｄが、左右に対称する同形の形状として形成してある。そして、この嵌合突部ｄの外周側に嵌合する嵌合凹部ｅが左右の両側面に形成された形状の中間連結材Ｎを別に成形しておいて、この中間連結材Ｎを、並列させる庇パネルＤと庇パネルＤとの間に介装しておき、これら嵌合突部ｄと嵌合凹部ｅとを互いに嵌め合わせていくことで、図８に示しているように一体的に連結して広い庇体Ｆに組み立てられるようにしてある。
【００３５】
この庇パネルＤの取付部材Ａに対する実際の組み付け工程の作業は、庇パネルＤの基端側に開設しておくボルト挿通穴に、取付ボルトＥを上方から挿通し、それの座板つきの頭部２０を、取付部材Ａの横板部１１に形設しておくレール状の嵌合部１３に左右にスライド自在に嵌挿し、締結ナット２１を仮締めすることで、庇パネルＤを横板部１１の下面側に吊り下げ状態として、左右のスライド移動が許容されるように仮止めし、この作業を重ねることで多数の庇パネルＤを並列させて支架し、このとき、中間連結材Ｎを、庇パネルＤと庇パネルＤとの間に挿入し、この状態において、庇パネルＤを巾方向に並列させた庇パネルＤを、中間連結材Ｎを介して互いに連結させて庇体Ｆに組み立て、締結ナット２１を本締めして締結することで、庇体Ｆを取付部材Ａに取り付け固定するように作業する。
【００３６】
この庇パネルＤの取付部材Ａの横板部１１に取付ボルトＥによる取り付けは、ボルト挿通穴３１を庇パネルＤの基端側に寄せた部位に開設するか、横板部１１に設ける嵌合部１３を、前方に寄せた位置に設けておくことで、取り付ける庇パネルＤの後端面３０と取付部材Ａの縦板部１０の前面との間に、内樋を形成する程度の空間Ｙを形成するよう、庇パネルＤを前方にずらせた状態として横板部１１に取り付けてある。
【００３７】
そして、この取り付けた庇パネルＤの後端面３０の後方に形成される空間Ｙは、取付部材Ａの下面側に組み付ける下部カバーＬにより、庇パネルＤの上面側に形設した水路溝Ｕにより導かれる雨水を集める内樋を形成するようになる。
【００３８】
取付ボルトＥの締結ナット２１を覆い隠すように取付部材Ａの下面側に装設する下部カバーＬは、空間Ｙを内樋に構成するように利用する場合には、その内樋の底壁として機能するようになることから、その内樋の点検・清掃を容易にするために、取付部材Ａに対する組み付け装着を、ビス・係止部により行って、装脱が容易に行われるようにしている。
【００３９】
図５において、空間Ｙの内部に装置せしめている内樋Ｚは、前記空間Ｙの内面が、複雑な形状・構造になっていることから、これを整った内面にするために、アルミ材等の金属材で、図９に示しているように、取付部材Ａの左右長さに対応する長さの内樋Ｚとして別に形成しておいて、この内樋Ｚを、取付部材Ａに下部カバーＬを取り付ける前に、取付部材Ａの下面側に嵌め込んでおき、それの下方から下部カバーＬを取り付けることで、図１０にあるように取付部材Ａに組み込むようしている内樋である。
【００４０】
この内樋Ｚの底壁の左右の端部には、図９において鎖線で示しているように排出口５０が、下部カバーＬに開設されている排出口６０と接続連通するように開設してある。そして、図５において、二重鎖線の矢印で示している如く、庇パネルＤ上面の水路溝Ｕから空間Ｙ内の内樋Ｚを経て内樋Ｚに流れ込む雨水が、下部カバーＬの底面に接続した縦樋Ｔに排出されていくようにしてある。
【符号の説明】
【００４１】
Ａ    取付部材
Ｂ    建物躯体
Ｃ    ボルト
Ｄ    庇パネル
Ｅ    取付ボルト
Ｆ    庇体
Ｇ    雨樋
Ｈ    吊りハンガー
Ｋ    化粧カバー
Ｌ    下部カバー
Ｍ    角度変更部材
Ｎ    中間連結材
Ｐ    化粧枠
Ｔ    縦樋
Ｕ    水路溝
Ｙ    空間
Ｚ    内樋
ｂ    外壁面
ｄ    嵌合突部
ｅ    嵌合凹部
１０    縦板部
１１    横板部
１２    取付座面
１３    嵌合部
１４    取付台
１５    係止溝
２０    取付ボルトの頭部
２１    ナット
３０    後端面
３１    ボルト挿通穴
４    縦板部
４０    係止部
４１    横板部
４２    係止突起
５    角筒体
５０    排出口
６０    排出口
【図１】
0003156853.tif 000003
【図２】
0003156853.tif 000004
【図３】
0003156853.tif 000005
【図４】
0003156853.tif 000006
【図５】
0003156853.tif 000007
【図６】
0003156853.tif 000008
【図７】
0003156853.tif 000009
【図８】
0003156853.tif 000010
【図９】
0003156853.tif 000011
【図１０】
0003156853.tif 000012